(57)【要約】      （修正有）【課題】美容電子製品分野の導電性回転ボールを提供する。【解決手段】導電性回転ボールＣ１００は、導電性軸受と導電性ボールとを備える。導電性軸受は、導電性載置部材と、導電性シャフトと、回転ベース部材とを備える。導電性シャフトは、絶縁軸芯Ａ２１と、導電リングと、絶縁軸芯に内設された複数のガイド部材Ａ２３とを備える。ガイド部材は、対応の導電リングに電気的に接続される。導電性載置部材は、絶縁載置部材と複数の電気導出部材とを備え、回転ベース部材に組立部材が設けられ、絶縁載置部材は、組立部材に取り付けられる。また、電気導出部材は、対応の導電リングに電気的に接続される。導電性ボールは、取付ガイド溝の取付本体Ｂ１０と、発熱フィルムＢ２０と、外側シェルとを備える。取付本体に複数の電気リードアウトピースが設けられ、電気リードアウトピースは、取付ガイド溝内に取り付けられる。【選択図】図２
0003228580.tif 000002
【実用新案登録請求の範囲】
【請求項１】
導電性回転ボールであって、導電性軸受と、前記導電性軸受に取り付けられた導電性ボールとを備え、
前記導電性軸受は、導電性載置部材と、導電性シャフトと、前記導電性シャフトの外側を嵌合し且つ回転可能な回転ベース部材とを備え、
前記導電性シャフトは、絶縁軸芯と、前記絶縁軸芯の外壁を嵌合する複数の導電リングと、前記絶縁軸芯に内設された複数のガイド部材とを備え、
複数の前記導電リングは、前記絶縁軸芯の軸方向に沿って間隔をあけて配置され、各前記ガイド部材は、対応の前記導電リングに電気的に接続され、前記導電性載置部材は、絶縁載置部材と前記絶縁載置部材に取り付けられ且つ互いに間隔をあけて配置された複数の電気導出部材とを備え、前記回転ベース部材に組立部材が設けられ、前記絶縁載置部材が前記組立部材内に取り付けられ、各前記電気導出部材は、対応の前記導電リングに電気的に接続され、前記導電性ボールは、取付ガイド溝を有する取付本体と、前記取付本体の外側面に貼り付けられた発熱フィルムと、前記取付本体の外側を嵌合する球形外側ケーシングとを備え、前記取付本体には、複数の電気リードアウトピースが設けられ、前記電気リードアウトピースが前記取付ガイド溝内に取り付けられ、２つの前記電気リードアウトピースは、前記発熱フィルムに電気的に接続され、前記導電性軸受が前記取付ガイド溝内に取り付けられ、且つ、前記電気導出部材のそれぞれは、対応の前記電気リードアウトピースに電気的に接続される、ことを特徴とする導電性回転ボール。
【請求項２】
前記電気導出部材は、内部接触部と外部接触部と前記絶縁載置部材内に取り付けられた固定部とを備え、前記外部接触部は、前記固定部の第１端部に接続され、前記内部接触部は、前記固定部の第２端部に接続され、前記外部接触部は、前記絶縁載置部材外に突出し、前記内部接触部は、前記回転ベース部材の内部に延び、且つ、前記導電リングに電気的に接続され、前記絶縁載置部材は円弧状外側面を有し、前記外部接触部は、絶縁載置部材を突出して前記円弧状外側面と同心同径に延びるように配置され、前記外部接触部は、前記電気リードアウトピースに電気的に接続される、ことを特徴とする請求項１に記載の導電性回転ボール。
【請求項３】
前記導電性軸受は、前記回転ベース部材の頂部に取り付けられた連結部材を備え、前記連結部材は、前記導電性シャフトの外側を嵌合し且つ前記導電性シャフトをロックさせ、前記連結部材は、前記絶縁軸芯を嵌合する環状部材と、前記環状部材の頂面の外縁部に取り付けられた複数の係合部材とを備え、すべての前記係合部材は、前記環状部材に周方向に沿って配置され、前記係合部材は、前記環状部材の軸方向に沿って外側に突出する自由端を備え、前記自由端は、前記環状部材の中心線を離れ且つ前記環状部材の中心線に垂直方向に沿って延びるように配置され、前記環状部材の底面に複数の係合孔が設けられ、前記絶縁載置部材の頂部に絶縁係合ブロックが設けられ、前記回転ベース部材の頂部に回転用係合ブロックが設けられ、前記絶縁係合ブロックと前記回転用係合ブロックとは、前記係合孔に挿入される、ことを特徴とする請求項１に記載の導電性回転ボール。
【請求項４】
前記導電性軸受は、ロック貫通孔を有し且つ始端および終端に開口するロックリング部材を備え、前記ロックリング部材は、始端および終端に傾斜ノッチが形成され、前記ロックリング部材は、前記ロック貫通孔に向かってブロッキング部を突出、前記絶縁軸芯の頂部にロック釘が設けられ、前記ロック釘は、接続体と前記接続体に取り付けられたブロッキング本体とを備え、前記接続体は、前記絶縁軸芯の頂部に取り付けられ、前記ロックリング部材は、前記ロック釘の外側を嵌合して前記環状部材に押し付け、前記ブロッキング部と前記ブロッキング本体とは当接する、ことを特徴とする据請求項３に記載の導電性回転ボール。
【請求項５】
前記絶縁載置部材は、前記絶縁軸芯を嵌合し且つ互いに連結された複数の取付リング部材を備え、前記取付リング部材は貫通孔を有し、前記取付リング部材の底面に取付スロットが設けられ、前記取付リング部材の頂面に挿入ポストが設けられ、前記取付リング部材の前記挿入ポストは、隣接する前記取付リング部材の前記取付スロット内に対応して挿入される、ことを特徴とする請求項１に記載の導電性回転ボール。
【請求項６】
前記取付リング部材に２つの互いに対向して配置された電気導出部材が設けられ、前記取付リング部材には、互いに連通された取付スロットと延伸スロットとが設けられ、前記取付スロットは、前記取付リング部材の側壁を貫通し、前記延伸スロットは、前記貫通孔に連通され、前記固定部は、取付スロット内に取り付けられ、前記内部接触部は、前記延伸部の溝に取り付けられる、ことを特徴とする据請求項５に記載の導電性回転ボール。
【請求項７】
前記取付本体は、複数の電気リードアウトピースと積層して設けられ且つ互いに係合される複数の取付部材とを備え、前記取付部材はガイド通孔を有し、すべての前記取付部材のガイド通孔が互いに連通されて前記取付ガイド溝を形成し、前記電気リードアウトピースは、前記取付部材のガイド通孔に対応して取り付けられ、前記外側シェルの外側面にプラスチック層を形成する、ことを特徴とする請求項１に記載の導電性回転ボール。
【請求項８】
前記電気リードアウトピースは、接触環状体部と突き出し部とを備え、前記接触環状体部は前記取付部材のガイド通孔内に取り付けられ、前記突き出し部の第１端部は前記接触環状体部に電気的に接続され、前記突き出し部の第２端部は前記取付本体より突出する、ことを特徴とする据請求項７に記載の導電性回転ボール。
【請求項９】
隣接する２つの前記取付部材のうちの一方の底面に、前記ガイド通孔を囲む取付部が設けられ、隣接する２つの前記取付部材のうちの他方の頂面に、前記ガイド通孔を囲む係着部が設けられ、隣接する２つの前記取付部材のうちの一方の取付部は、隣接する２つの前記取付部材のうちの他方の係着部に挿入され、前記接触環状体部は、前記取付部に取り付けられ且つ前記ガイド通孔の側壁に密着し、隣接する２つの前記取付部材のうちの一方に、挿着部が設けられ、隣接する２つの前記取付本体のうちの他方に、前記挿着部に対応する係合部が設けられ、隣接する２つの前記取付本体のうちの一方の挿着部を隣接する他方の前記取付本体の係合部に挿入する、ことを特徴とする据請求項８に記載の導電性回転ボール。
【請求項１０】
前記取付本体は、蓋部材をさらに備え、前記蓋部材は、前記取付本体の最上部に位置する前記取付部材の頂部に係合され、前記蓋部材の底部に、前記取付ガイド溝に連通する回避スロットが設けられ、前記蓋部材の頂部に、前記蓋部材と同軸に配置された凸柱が設けられ、前記発熱フィルムに貫通孔が設けられ、前記凸柱が前記貫通孔に挿入される、ことを特徴とする据請求項７に記載の導電性回転ボール。
【考案の詳細な説明】
【技術分野】
【０００１】
本考案は、美容電子製品の分野に属し、特に導電性回転ボールに関する。
【背景技術】
【０００２】
人々の生活が向上するにつれて、健康と美容への追求はますます高くなっている。その中でも、多機能美容デバイスは、多くの人々に求められ、好まれているようになった。現在の多機能美容デバイスのほとんどは、温度、電流刺激、マッサージ機能を達成できる。また、現在の多機能美容器具は、固定ハンドルと回転するマッサージヘッドを備えており、使用時にはマッサージヘッドが人体の表面に配置され、マッサージヘッドが回転することによって、筋肉が弛緩し、人間の血液循環が促進される。さらに、マッサージヘッドが連続的または断続的に加熱・冷却され、または微小電流が形成されることによって、人体の表面をマッサージ・刺激して、洗浄および美容の目的を達成することができる。マッサージヘッドは、通常、導電性ベアリングを介してハンドルに取り付けられるが、現在の導電性ベアリングでは、回転子と回転軸の間に安定且つ信頼性の高いガイド部材または位置決め部材が欠いているため、導電性ベアリングの構造が不安定になり、且つ分解しにくいという問題が残っている。
【０００３】
したがって、上記の欠点を解決するために、回転子と回転軸との間に安定したガイド部材および位置決め部材を備えた導電性回転ボールの開発は必要とされている。
【考案の概要】
【考案が解決しようとする課題】
【０００４】
本考案の目的は、回転子と回転軸との間に安定したガイドおよび位置決めができる導電性回転ボールを提供することである。
【課題を解決するための手段】
【０００５】
上述した目的を達成するために、本考案の導電性回転ボールは、導電性軸受と、前記導電性軸受に取り付けられた導電性ボールとを備え、前記導電性軸受は、導電性載置部材と、導電性シャフトと、前記導電性シャフトの外側を嵌合し且つ回転可能な回転ベース部材とを備え、前記導電性シャフトは、絶縁軸芯と、前記絶縁軸芯の外壁を嵌合する複数の導電リングと、前記絶縁軸芯に内設された複数のガイド部材とを備え、複数の前記導電リングは、前記絶縁軸芯の軸方向に沿って間隔をあけて配置され、各前記ガイド部材は、対応の前記導電リングに電気的に接続され、前記導電性載置部材は、絶縁載置部材と前記絶縁載置部材に取り付けられ且つ互いに間隔をあけて配置された複数の電気導出部材とを備え、前記回転ベース部材に組立部材が設けられ、前記絶縁載置部材が前記組立部材内に取り付けられ、各前記電気導出部材は、対応の前記導電リングに電気的に接続され、前記導電性ボールは、取付ガイド溝を有する取付本体と、前記取付本体の外側面に貼り付けられた発熱フィルムと、前記取付本体の外側を嵌合する球形外側ケーシングとを備え、前記取付本体には、複数の電気リードアウトピースが設けられ、前記電気リードアウトピースが前記取付ガイド溝内に取り付けられ、２つの前記電気リードアウトピースは、前記発熱フィルムに電気的に接続され、前記導電性軸受が前記取付ガイド溝内に取り付けられ、且つ、前記電気導出部材のそれぞれは、対応の前記電気リードアウトピースに電気的に接続される。
【０００６】
好ましくは、前記電気導出部材は、内部接触部と外部接触部と前記絶縁載置部材内に取り付けられた固定部とを備え、前記外部接触部は、前記固定部の第１端部に接続され、前記内部接触部は、前記固定部の第２端部に接続され、前記外部接触部は、前記絶縁載置部材外に突出し、前記内部接触部は、前記回転ベース部材の内部に延び、且つ、前記導電リングに電気的に接続され、前記絶縁載置部材は円弧状外側面を有し、前記外部接触部は、絶縁載置部材を突出して前記円弧状外側面と同心同径に延びるように配置され、前記外部接触部は、前記電気リードアウトピースに電気的に接続される。
【０００７】
好ましくは、前記導電性軸受は、前記回転ベース部材の頂部に取り付けられた連結部材を備え、前記連結部材は、前記導電性シャフトの外側を嵌合し且つ前記導電性シャフトをロックさせ、前記連結部材は、前記絶縁軸芯を嵌合する環状部材と、前記環状部材の頂面の外縁部に取り付けられた複数の係合部材とを備え、すべての前記係合部材は、前記環状部材に周方向に沿って配置され、前記係合部材は、前記環状部材の軸方向に沿って外側に突出する自由端を備え、前記自由端は、前記環状部材の中心線を離れ且つ前記環状部材の中心線に垂直方向に沿って延びるように配置され、前記環状部材の底面に複数の係合孔が設けられ、前記絶縁載置部材の頂部に絶縁係合ブロックが設けられ、前記回転ベース部材の頂部に回転用係合ブロックが設けられ、前記絶縁係合ブロックと前記回転用係合ブロックとは、前記係合孔に挿入される。
【０００８】
好ましくは、前記導電性軸受は、ロック貫通孔を有し且つ始端および終端に開口するロックリング部材を備え、前記ロックリング部材は、始端および終端に傾斜ノッチが形成され、前記ロックリング部材は、前記ロック貫通孔に向かってブロッキング部を突出、前記絶縁軸芯の頂部にロック釘が設けられ、前記ロック釘は、接続体と前記接続体に取り付けられたブロッキング本体とを備え、前記接続体は、前記絶縁軸芯の頂部に取り付けられ、前記ロックリング部材は、前記ロック釘の外側を嵌合して前記環状部材に押し付け、前記ブロッキング部と前記ブロッキング本体とは当接する。
【０００９】
好ましくは、前記絶縁載置部材は、前記絶縁軸芯を嵌合し且つ互いに連結された複数の取付リング部材を備え、前記取付リング部材は貫通孔を有し、前記取付リング部材の底面に取付スロットが設けられ、前記取付リング部材の頂面に挿入ポストが設けられ、前記取付リング部材の前記挿入ポストは、隣接する前記取付リング部材の前記取付スロット内に対応して挿入される。
【００１０】
好ましくは、前記取付リング部材に２つの互いに対向して配置された電気導出部材が設けられ、前記取付リング部材には、互いに連通された取付スロットと延伸スロットとが設けられ、前記取付スロットは、前記取付リング部材の側壁を貫通し、前記延伸スロットは、前記貫通孔に連通され、前記固定部は、取付スロット内に取り付けられ、前記内部接触部は、前記延伸部の溝に取り付けられる。
【００１１】
好ましくは、前記取付本体は、複数の電気リードアウトピースと積層して設けられ且つ互いに係合される複数の取付部材とを備え、前記取付部材はガイド通孔を有し、すべての前記取付部材のガイド通孔が互いに連通されて前記取付ガイド溝を形成し、前記電気リードアウトピースは、前記取付部材のガイド通孔に対応して取り付けられ、前記外側シェルの外側面にプラスチック層を形成する。
【００１２】
好ましくは、前記電気リードアウトピースは、接触環状体部と突き出し部とを備え、前記接触環状体部は前記取付部材のガイド通孔内に取り付けられ、前記突き出し部の第１端部は前記接触環状体部に電気的に接続され、前記突き出し部の第２端部は前記取付本体より突出する。
【００１３】
好ましくは、隣接する２つの前記取付部材のうちの一方の底面に、前記ガイド通孔を囲む取付部が設けられ、隣接する２つの前記取付部材のうちの他方の頂面に、前記ガイド通孔を囲む係着部が設けられ、隣接する２つの前記取付部材のうちの一方の取付部は、隣接する２つの前記取付部材のうちの他方の係着部に挿入され、前記接触環状体部は、前記取付部に取り付けられ且つ前記ガイド通孔の側壁に密着し、隣接する２つの前記取付部材のうちの一方に、挿着部が設けられ、隣接する２つの前記取付本体のうちの他方に、前記挿着部に対応する係合部が設けられ、隣接する２つの前記取付本体のうちの一方の挿着部を隣接する他方の前記取付本体の係合部に挿入する。
【００１４】
好ましくは、前記取付本体は、蓋部材をさらに備え、前記蓋部材は、前記取付本体の最上部に位置する前記取付部材の頂部に係合され、前記蓋部材の底部に、前記取付ガイド溝に連通する回避スロットが設けられ、前記蓋部材の頂部に、前記蓋部材と同軸に配置された凸柱が設けられ、前記発熱フィルムに貫通孔が設けられ、前記凸柱が前記貫通孔に挿入される。
【考案の効果】
【００１５】
従来技術と比較して、本考案の導電性回転ボールは、導電性軸受と前記導電性軸受に取り付けられる導電性ボールとを備えている。導電性軸受は、導電性載置部材と、導電性シャフトと、導電性シャフトを被って回転可能を嵌合する回転ベース部材とを備えている。導電性シャフトは、絶縁軸芯と、複数の絶縁軸芯の外壁を嵌合する導電リングと、絶縁軸芯内に設けられる複数のガイド部材とを備え、複数の導電リングは絶縁軸芯の軸方向に沿い且つ間隔を空けるように配置される。各ガイド部材と対応の導電リングとが電気的に接続されている。導電性載置部材は、絶縁載置部材と、絶縁載置部材に取り付けられ且つ互いに間隔を空けて配置された複数の電気導出部材とを備えている。回転ベース部材には、組立部材が設けられ、絶縁載置部材が組立部材内に取り付けられ、且つ各電気導出部材と対応の導電リングとが電気的に接続されている。導電性ボールは、取付ガイド溝を設ける取付本体、取付本体の外側面に貼り付けられる発熱フィルムと、取付本体の外側を嵌合する球形外側ケーシングとを備えている。取付本体内に、複数の電気リードアウトピースが設けられ、電気リードアウトピースが取付ガイド溝内に設けられ、２つの電気リードアウトピースと発熱フィルムとが電気的に接続されている。導電性軸受は、取付ガイド溝内に取り付けられ、且つ各電気導出部材と対応の電気リードアウトピースとが電気的に接続されるので、ガイド部材と電気導出部材との間の電気回路／信号の接続を実現する。また、この構造によって、電気リードアウトピースと電気導出部材との間の電気回路／信号の接続を実現することもできる。絶縁載置部材が組立部材内に取り付けられているので、導電性載置部材を回転ベース部材に安定してガイドおよび位置決めさせることができる。また、導電性載置部材と回転ベース部材とは、実際、回転子構造を形成しており、且つ当該回転子構造と導電性シャフトとの回転は、回転ベース部材と絶縁軸芯との相対回転によって実現されているので、回転子構造において回転の部分（即ち、回転ベース部材）が形成され、この部分は、電気回路／信号伝送の部分（即ち、導電性載置部材）の構造とは別体であるため、電気回路／信号伝送の構造部分（即ち、導電性載置部材）は、導電性シャフトに対して、同時に回転することができ、且つ損傷しにくい。これによって、導電性軸受の構造はより安定するとともに、導電性軸受の取付・分解も容易である。
【図面の簡単な説明】
【００１６】
【図１】本考案の導電性回転ボールの構造の概念図である。
【図２】図１に示す導電性回転ボールの分解図である。
【図３】本考案に提供された第１の実施形態における組み立てられた状態の導電性軸受の構造概念図である。
【図４】図３に示す導電性軸受の分解図である。
【図５】図４の導電性軸受における導電性載置部材の構造概念図である。
【図６】図５のＡ―Ａ線に沿った平面の断面図である。
【図７】図４の導電性軸受におけるロックリング部材の構造概念図である。
【図８】図４の導電性軸受における連結部材の構造概念図である。
【図９】本考案に提供された第２実施形態における組み立てられた状態の導電性軸受の構造概念図である。
【図１０】図９に示す導電性軸受の分解図である。
【図１１】図１０に示す導電性軸受の導電性載置部材における電気導出部材が取付リング部材に取り付けられた状態での構造概念図である。
【図１２】図１１の電気導出部材が取付リング部材から分離された状態での構造概念図である。
【図１３】図１に示す導電性回転ボールにおける導電性ボールの構造概念図である。
【図１４】図１３のＢ―Ｂ線に沿った平面の断面図である。
【図１５】図１３の導電性ボールはプラスチック層が隠された状態での分解図である。
【図１６】図１５の取付本体における一部の取付部材を分解した状態を示す分解図である。
【図１７】図１６の取付本体における取付部材が完全に分解された状態を示す分解図である。
【考案を実施するための形態】
【００１７】
本発明の技術的内容および構造的特徴を詳細に説明するために、以下、実施形態および添付の図面を参照しながら詳細に説明する。
【００１８】
図１〜図４に示すように、本考案の導電性回転ボールＣ１００は、導電性軸受Ａ１００と、前記導電性軸受Ａ１００に取り付けられた導電性ボールＢ１００とを備える。導電性軸受Ａ１００は、導電性載置部材Ａ１０と、導電性シャフトＡ２０と、導電性シャフトＡ２０の外側を嵌合し且つ回転可能な回転ベース部材Ａ３０とを備える。導電性シャフトＡ２０は、絶縁軸芯Ａ２１と、絶縁軸芯Ａ２１外壁を嵌合する複数の導電リングＡ２２と、絶縁軸芯Ａ２１に内設された複数のガイド部材Ａ２３とを備える。複数の導電リングＡ２２は、絶縁軸芯Ａ２１の軸方向に沿って間隔を開けて配置される。各ガイド部材Ａ２３は、対応の導電リングＡ２２と電気的に接続される。導電性載置部材Ａ１０は、絶縁載置部材Ａ１１と、絶縁載置部材Ａ１１に取り付けられ且つ互いに間隔を開けて配置された複数の電気導出部材Ａ１２とを備える。回転ベース部材Ａ３０に組立部材Ａ３１が設けられる。絶縁載置部材Ａ１１は、組立部材Ａ３１内に取り付けられ、且つ、各電気導出部材Ａ１２は、対応の導電リングＡ２２と電気的に接続される。導電性ボールＢ１００は、取付ガイド溝Ｂ１１を有する取付本体Ｂ１０と、取付本体Ｂ１０の側面に貼り付けられた発熱フィルムＢ２０と、取付本体Ｂ１０の外側を嵌合された球形外側ケーシングＢ３０とを備える。取付本体Ｂ１０には、複数の電気リードアウトピースＢ１２が設けられ、電気リードアウトピースＢ１２が取付ガイド溝Ｂ１１内に配置され、２つの電気リードアウトピースＢ１２は、発熱フィルムＢ２０と電気的に接続される。導電性軸受Ａ１００は、取付ガイド溝Ｂ１１内に取り付けられ、且つ各電気導出部材Ａ１２は、対応する電気リードアウトピースＢ１２に電気的に接続される。これによって、ガイド部材Ａ２３と電気導出部材Ａ１２との電気回路／信号の通信、および電気リードアウトピースＢ１２と電気導出部材Ａ１２との電気回路／信号の通信が実現される。また、絶縁載置部材Ａ１１が組立部材Ａ３１に取り付けられているため、導電性載置部材Ａ１０を回転ベース部材Ａ３０に安定且つ確実にガイドして位置決めることができる。導電性載置部材Ａ１０と回転ベース部材Ａ３０とは、回転子構造を形成し、且つ当該回転子構造と導電性シャフトＡ２０との間の回転は、回転ベース部材Ａ３０と絶縁軸芯Ａ２１との相対回転により実現されているので、回転子は構造的に回転な部分（すなわち、回転ベース部材３０）を形成し、電気回路／信号伝送の部分（すなわち、導電性載置部材Ａ１０）とは構造的に別体である。これによって、電気回路／信号伝送の構造部分（すなわち、導電性載置部材Ａ１０）は、導電性シャフトＡ２０に対して、同時に回転することができ、且つ、損傷しにくいため、導電性軸受Ａ１００の構造がより安定し、且つ導電性軸受Ａ１００の取付が容易になる。好ましくは、複数のガイド部材Ａ２３は、互いに被さるようを嵌合され、且つ中心のガイド部材Ａ２３は中空でない導線であり、その他のガイド部材Ａ２３は中空の管状導線である。このような設計では、導電性シャフトＡ２０の構造はコンパクト且つ集約的である。例えば、絶縁軸芯Ａ２１には５つの導電リングＡ２２が設けられ、そのうち、２つの導電リングＡ２２は、加熱用電気回路と接続するように使用され、２つの導電リングＡ２２は、温度調整電気回路と接続するように使用され、１つの導電リングＡ２２は、微小電流刺激電気回路に使用されるが、これには限定されない。
【００１９】
図５および図６に示すように、電気導出部材Ａ１２は、内部接触部Ａ１２１、外部接触部Ａ１２２、および絶縁載置部材Ａ１１内に取り付けられた固定部Ａ１２３を備え、外部接触部Ａ１２２が固定部Ａ１２３の第１端部に接続され、内部接触部Ａ１２１が固定部Ａ１２３の第２端部に接続され、外部接触部Ａ１２２が絶縁載置部材Ａ１１から突出し、内部接触部Ａ１２１は、回転ベース部材Ａ３０の内部に延び、且つ導電リングＡ２２と電気的に接続され、絶縁載置部材Ａ１１は、円弧状の外側面Ａ１１１を有し、外部接触部Ａ１２２が絶縁載置部材Ａ１１から伸び出して、円弧状の外側面Ａ１１１と同心円の円周面に沿って延伸して配置される。外部接触部Ａ１２２は、電気リードアウトピースＢ１２に電気的に接続されるので、電気導出部材Ａ１２が絶縁載置部材Ａ１１に安定して設置されることができ、外部接触部Ａ１２２が電気回路／信号を外部デバイスに安定かつ確実に転送するのに有益である。好ましくは、内部接触部Ａ１２１は、導電リングＡ２２に安定的且つ連続的に接触することができる弾性構造である。内部接触部Ａ１２１は、弾性材料で構成された弾性構造であってもよく、内部接触部Ａ１２１と固定部Ａ１２３とを曲げて弾性構造を構成することでも良い。なお、これには限定されない。
【００２０】
図３〜図５に示すように、絶縁載置部材Ａ１１の底部から外側に向かって延伸する挿入部材Ａ１１２が設けられ、回転ベース部材Ａ３０には、挿入部材Ａ１１２を挿入するための差し込み口Ａ３２が設けられ、絶縁載置部材Ａ１１が組立部材Ａ３１に安定して取り付けられるように、挿入部材Ａ１１２が差し込み口Ａ３２に挿入することができる。より具体的には、絶縁載置部材Ａ１１では、回転ベース部材Ａ３０と接続する箇所に、貼着平面Ａ１１３が設けられ、回転ベース部材Ａ３０は、貼着平面Ａ１１３に対応する取付平面Ａ３３が設けられ、絶縁載置部材Ａ１１は、組立部材Ａ３１内に取り付けられ、且つ貼着平面Ａ１１３が取付平面Ａ３３に密着しているので、絶縁載置部材Ａ１１が回転ベース部材Ａ３０において効果的に位置決めやガイドされることができる。これによって、導電性載置部材Ａ１０は回転ベース部材Ａ３０に安定して設けられることができる。さらに、より具体的には、組立部材Ａ３１は、回転ベース部材Ａ３０に設けられたスロット構造であり、回転ベース部材Ａ３０は、取付環状部Ａ３４と取付環状部Ａ３４に取り付けられ且つ互いに対向して配置された環状部Ａ３５とを備え、組立部材Ａ３１は、２つの環状部Ａ３５の間に設けられている。回転ベース部材Ａ３０には、２つの対向して配置された組立部材Ａ３１が設けられ、各組立部材Ａ３１には、導電性載置部材Ａ１０が取り付けられているので、電気回路／信号を効果的に素早く伝送することができる。例えば、この時の絶縁載置部材Ａ１１は、環状の円柱体であるが、これに限定されない。このような構造によって、回転ベース部材Ａ３０と導電性載置部材Ａ１０とを円柱体の回転子構造に形成し、電気回路／信号を導電性ボールＢ１００に伝送するのに有益である。
【００２１】
図２、図３、図４、図５、図７および図８に示すように、導電性軸受Ａ１００と導電性ボールＢ１００との取付を容易にするために、本考案の導電性軸受Ａ１００は、回転ベース部材Ａ３０の頂部に取り付けられた連結部材Ａ４０を備えている。連結部材Ａ４０は、導電性シャフトＡ２０の外側を嵌合して固定されている。より具体的には、連結部材Ａ４０は、絶縁軸芯Ａ２１の外側を嵌めるように設けられる環状部材Ａ４１と環状部材Ａ４１の頂面の外縁部に設けられる複数の係合部材Ａ４２とを備えている。係合部材Ａ４２は、環状部材Ａ４１の周方向に沿って配置される。係合部材Ａ４２は、環状部材Ａ４１の半径方向の外側に突出する自由端Ａ４２１を有し、自由端Ａ４２１は、環状部材Ａ４１の中心線を離れ且つ環状部材Ａ４１の中心線と垂直する方向に沿って配置される。環状部材Ａ４１の底面に、複数の係合孔Ａ４１１が設けられ、絶縁載置部材Ａ１１の頂部に、絶縁係合ブロックＡ１１４が設けられている。回転ベース部材Ａ３０の頂部に、回転用係合ブロックＡ３６が設けられている。絶縁係合ブロックＡ１１４と回転用係合ブロックＡ２６は、対応の係合孔Ａ４１１に挿入して係合されることで、連結部材Ａ４０が導電性載置部材１０を回転ベース部材３０に固定する。導電性軸受Ａ１００が導電性ボールＢ１００に取り付けられた場合、係合部材Ａ４２の自由端Ａ４２１は、後述の取付本体Ｂ１０の取付部材Ｂ１３に効果的に固定されるので、導電性軸受Ａ１００と導電性ボールＢ１００との接続がより安定してしっかりと固定され、脱着を防ぐことができ、使用の安全性を効果的に確保することができる。より具体的には、連結部材Ａ４０を導電性軸受Ａ１００に安定して取り付けるために、本考案の導電性軸受Ａ１００は、ロック貫通孔Ａ５１を有し且つ始端および終端に開口するロックリング部材Ａ５０を更に備える。ロックリング部材Ａ５０の始端および終端に、傾斜ノッチＡ５２が形成され、ロックリング部材Ａ５０は、ロック穴貫通孔に向かってブロッキング部Ａ５３を突出し、絶縁軸芯Ａ２１の頂部には、ロック釘Ａ２１１が設けられ、ロック釘Ａ２１１は、接続体Ａ２１２と接続体Ａ２１２に取り付けられるブロッキング本体Ａ２１３とを備える。接続体Ａ２１２は、絶縁軸芯Ａ２１の頂部に取り付けられ、ロックリング部材Ａ５０は、ロック釘Ａ２１１を嵌合して且つ環状部材Ａ４１を押し付け、ブロッキング部Ａ５３とブロッキング本体Ａ２１３とは当接する。例えば、ブロッキング本体Ａ２１３と接続体Ａ２１２とは円柱状であり、ブロッキング本体Ａ２１３の半径は、接続体Ａ２１２の半径よりも大きくすることで、ブロッキング部Ａ５３とブロッキング本体Ａ２１３との間を遮断して協働することができるが、これに限定されない。好ましくは、ロックリング部材Ａ５０は、ロック貫通孔Ａ５１の外周側でテーパー構造を設け、これに対応して、ブロッキング本体Ａ２１３の頂部もテーパー構造を設けているので、ロック釘Ａ２１１がロック貫通孔Ａ５１に挿入されやすい。
【００２２】
図１３および図１４に示すように、取付本体Ｂ１０は、複数の電気リードアウトピースＢ１２と複数の積層され且つ互いに係合されている取付部材Ｂ１３とを備える。取付部材Ｂ１３はガイド通孔Ｂ１３１を有し、すべての取付部材Ｂ１３のガイド通孔Ｂ１３１は、互いに連通して取付ガイド溝Ｂ１１を形成し、各電気リードアウトピースＢ１２は、取付部材Ｂ１３のガイド通孔Ｂ１３１に対応して取り付けられ、外側シェルＢ３０の外側面にプラスチック層Ｂ４０が覆われているので、各電気リードアウトピースＢ１２が取付部材Ｂ１３に安定して取り付けられ、且つ２つの取付部材Ｂ１３同士は、互いに積層して一緒に係合して接続されている。これによって、電気リードアウトピースＢ１２は安定した取付ができ、本考案の導電性ボールＢ１００の安定した構造を得ることができる。また、外側シェルＢ３０の外側面にプラスチック層Ｂ４０が覆われているので、プラスチック層Ｂ４０によって外部液体が導電性ボールＢ１００内に入ることを防止することができ、本考案の導電性ボールＢ１００は防水性に優れる。例えば、取付本体Ｂ１０には、５つの電気リードアウトピースＢ１２が対応して設けられているが、これに限定されない。そのうち、２つの電気リードアウトピースＢ１２が発熱フィルムＢ２０に接続され、この２つの電気リードアウトピースＢ１２は、加熱電気回路に接続された２つの導電リングＡ２２と電気的に接続され、他の２つの電気リードアウトピースＢ１２は、温度調整用電気回路に接続された２つの導電リングＡ２２と電気的に接続され、１つの電気リードアウトピースＢ１２は、微小電流刺激電気回路に接続された導電リングＡ２２と電気的に接続されているので、本考案の導電性ボールＢ１００は、微小電流刺激マッサージおよび調整可能な加熱温度の機能を有する。例えば、導電性回転ボールＣ１００の構造をよりコンパクトにするために、上述した温度調整回路の中核部品である温度制御器Ｂ５０が導電性ボールＢ１００の取付体Ｂ１０に取り付けられ、２つの電気リードアウトビースＢ１２は温度制御器Ｂ５０と電気的に接続され、それに応じて、温度制御回路の２つの導電リングＡ２２は、外部入力回路に接続されている。ただし、これに限定されない。好ましくは、温度制御器Ｂ５０は、取付部材Ｂ１３に設けられた埋め込みスロットＢ１３０に組み込まれる。これによって、温度制御器Ｂ５０を隠すことができる他、導電性ボールＢ１００の構造をよりコンパクトにすることができる。例えば、発熱フィルムＢ２０は、シート状の発熱フィルムＢ２０であり、発熱フィルムＢ２０は、背面に貼り付けられた両面テープによって、取付本体Ｂ１０の外側面に貼り付けられる。これによって、導電性ボールＢ１００の構造をよりコンパクトにすることができるが、これに限定されない。なお、シート状の発熱フィルムＢ２０の構造は、周知なものであって良く、ここでは詳細を省略する。以下、電気リードアウトピースＢ１２について詳細に説明する。
【００２３】
図１４〜図１７に示すように、電気リードアウトピースＢ１２は、接触環状体部Ｂ１２１と突き出し部Ｂ１２２とを備える。接触環状体部Ｂ１２１が取付部材Ｂ１３のガイド通孔Ｂ１３１に取り付けられる。突き出し部Ｂ１２２の第１端部が接触環状体部Ｂ１２１に電気的に接続され、突き出し部Ｂ１２２の第２端部は取付部材Ｂ１３より突出するように設けられている。このような設計では、導電性軸受Ａ１００が接触環状体部Ｂ１２１を通って、導電性軸受Ａ１００における電気導出部材Ａ１２と接触環状体部Ｂ１２１とが接触することができ、且つ、突き出し部Ｂ１２２も発熱フィルムＢ２０または他の構成部材に容易に接続されることができる。より具体的には、隣接する２つの取付部材Ｂ１３の一方の底面に、ガイド通孔Ｂ１３１を囲む取付部Ｂ１３２が設けられ、隣接する２つの取付部材Ｂ１３の他方の頂面に、ガイド通孔Ｂ１３１を囲む係着部Ｂ１３３が設けられている。隣接する２つの取付部材Ｂ１３の一方の取付部Ｂ１３２が隣接する２つの取付部材Ｂ１３の他方の係着部Ｂ１３３に挿入される。接触環状体部Ｂ１２１が取付部Ｂ１３２に取り付けられ、且つガイド通孔Ｂ１３１の側壁に密着しているので、隣接する２つの取付部材Ｂ１３同士が互いに係合され、取付本体Ｂ１０の構造をより安定にすることができる。より具体的には、取付部Ｂ１３２はスロット構造であり、係着部Ｂ１３３は、取付部Ｂ１３２と係合して接続される凸状構造である。接触環状体部Ｂ１２１は、接触環状体Ｂ１２１１と接触環状体Ｂ１２１１の半径方向に沿って外側に延びる取付リング部材Ｂ１２１２とを備える。取付リング部材Ｂ１２１２は、接触環状体Ｂ１２１１の中心線を離れ、且つ接触環状体Ｂ１２１１の中心線に垂直して延びるように配置されることで、電気リードアウトピースＢ１２が取付部材Ｂ１３にしっかりと安定して取り付けられ、且つ導電性軸受の電気導出部材同士の接触を妨害しない。なお、実際の需要に応じて、取付部Ｂ１３２は、凸状構造に形成され、係着部Ｂ１３３は、スロット構造に形成されても、両取付部材Ｂ１３同士の係合接続を実現することができる。ただし、これに限定されない。好ましくは、取付部材Ｂ１３との係合接続を容易にするために、一部の取付部材Ｂ１３に２つの取付部Ｂ１３２（即ち、スロット構造）が設けられる。これに対応して、一部の取付部材Ｂ１３にも２つの係着部Ｂ１３３（即ち、凸状構造）がもうけられる。ただし、これに限定されない。２つの取付部材Ｂ１３同士の接続の有効性及び安定性を高めるために、隣接する２つの取付部材Ｂ１３の一方に挿着部Ｂ１３４が設けられ、隣接する２つの取付本体Ｂ１３の他方に、挿着部Ｂ１３４に対応する係合部Ｂ１３５が設けられ、隣接する２つの取付本体Ｂ１３の一方における挿着部Ｂ１３４は、隣接する他の取付本体Ｂ１３における係合部Ｂ１３５に挿入される。例としては、挿着部Ｂ１３４は凸柱構造であり、係合部Ｂ１３５はスロット構造である。ただし、これに限定されない。好ましくは、取付部材Ｂ１３同士の係合接続を容易にするために、一部の取付部材Ｂ１３に２つの挿着部Ｂ１３４が設けられ、これに対応して、一部の取付部材Ｂ１３に２つの係合部Ｂ１３５が設けられる。ただし、これに限定されない。
【００２４】
図１４〜図１７に示すように、取付本体Ｂ１３は、蓋部材Ｂ１４をさらに備える。蓋部材Ｂ１４は、取付本体Ｂ１０の最上部に位置する取付部材Ｂ１３の頂部に係合され、蓋部材Ｂ１４の底部に、取付ガイド溝Ｂ１１と連通する回避スロットＢ１４１が設けられる。取り付けられた後の取付本体Ｂ１０は、円球体であり、蓋部材Ｂ１４の設置によって、取付本体Ｂ１０の一体性および構造安定性を強化することができる。また、回避スロットＢ１４１の設置は、導電性軸受Ａ１００との接続および組立に有益である。好ましくは、蓋部材Ｂ１４の底面には、挿着部Ｂ１３４が設けられ、蓋部材Ｂ１４は、挿着部Ｂ１３４により、取付部材Ｂ１３に安定して係合されることができる。より具体的には、蓋部材Ｂ１４の頂部には、蓋部材Ｂ１４と同軸に配置される凸柱Ｂ１４２が設けられ、発熱フィルムＢ２０には、貫通孔Ｂ２１が設けられ、凸柱Ｂ１４２は、貫通孔Ｂ２１内に配置されることで、取り付けられた発熱フィルムＢ２０の変位を防止することができる。より具体的には、発熱フィルムＢ２０は、中央接続部Ｂ２２および複数の発熱瓣状部Ｂ２３を備え、発熱瓣状部Ｂ２３の一端は中央接続部Ｂ２２に接続され、発熱瓣状部Ｂ２３の他端は、中央接続部Ｂ２２を離れるように延び、貫通孔Ｂ２１が中央接続部Ｂ２２に設置され、発熱瓣状部Ｂ２３は、発熱中心部Ｂ２２の周方向に沿って円状に配置され、隣接する２つの発熱瓣状部Ｂ２３同士は、等間隔に配置されている。したがって、作動中の複数の発熱瓣状部Ｂ２３が導電性ボールＢ１００において完全かつ均一に発熱できるため、導電性ボールＢ１００の実感効果を向上させることができる。
【００２５】
図１５〜図１７に示すように、蓋部材Ｂ１４の外壁に、複数の上部挿入柱Ｂ１４３が設けられ、すべての上部挿入柱Ｂ１４３は、凸柱Ｂ１４２の中心線に沿って蓋部材Ｂ１４上で円形状に配置されている。外側シェルＢ３０は、半球体で互いに係合して固定された上半シェルＢ３１と下半シェルＢ３２とを備える。上半シェルＢ３１の頂部に、取付孔Ｂ３１１が設けられ、上半シェルＢ３１は、取付本体Ｂ１０の上部を嵌合し、且つ蓋部材Ｂ１４の凸柱Ｂ１４２が取付孔Ｂ３１１に挿入される。下半シェルＢ３２が取付本体Ｂ１０の下部を嵌合し、上半シェルＢ３１には、複数の挿着孔Ｂ３１２が設けられる。上部挿入柱Ｂ１４３は、上半シェルＢ３１の挿着孔Ｂ３１２に対応して挿入されるので、上半シェルＢ３１が取付本体Ｂ１０を容易を嵌合し、且つ上半シェルＢ３１が取り付けられた後変位せず、導電性ボールＢ１００の構造を安定にすることができる。より具体的には、取付本体Ｂ１０の最下方に位置する取付部材Ｂ１３の外壁には、複数の下部挿入柱Ｂ１３６が設けられ、すべての下部挿入柱Ｂ１３６は、取付部材Ｂ１３のガイド通孔Ｂ１３１の中心線に沿って取付部材Ｂ１３に一列に配置される。下半シェルＢ３２には、複数の挿着孔Ｂ３１２が設けられ、下部挿入柱Ｂ１３６は、下半シェルＢ３２の挿着孔Ｂ３１２に対応して挿入されるので、下半シェルＢ３２が取付本体Ｂ１０を容易を嵌合し、且つ下半シェルＢ３２が取り付けられた後変位せず、導電性ボールＢ１００の構造を安定にすることができる。
【００２６】
以下、第１実施形態の動作過程について説明する。図１〜図８、及び図１３〜図１７に示すように、取り付けられる際、回転ベース部材Ａ３０を導電性シャフトＡ２０に対応して挿入させ、導電性載置部材Ａ１０を回転ベース部材Ａ３０の組立部材Ａ３１に取り付けさせ、絶縁載置部材Ａ１１の絶縁係合ブロックＡ１１４が回転ベース部材Ａ３０の差し込み口Ａ３２に挿入された後、連結部材Ａ４０を導電性シャフトＡ２０に挿入させ、回転ベース部材Ａ３０の回転用係合ブロックＡ３６および絶縁載置部材Ａ１１の絶縁係合ブロックＡ１１４をそれぞれ係合孔Ａ４１１に対応して挿入させ、最後に、ロックリング部材Ａ５０がロック釘Ａ２１１に係合され、ロックリング部材Ａ５０のブロッキング部Ａ５３とロック釘Ａ２１１のブロッキング本体Ａ２１３とが互いに当接して取り付けられることで、導電性軸受Ａ１００の取付が完了する。また、各電気リードアウトピースＢ１２が対応の取付部材Ｂ１３に取り付けられた後、取付部材Ｂ１３が互いに係合するように取り付けられ、隣接する２つの取付部材Ｂ１３のうちの一方の取付部Ｂ１３２を、隣接する２つの取付部材Ｂ１３のうちの他方の係着部Ｂ１３３に挿入し、隣接する２つの取付本体Ｂ１３のうちの一方の挿着部Ｂ１３４を、隣接する２つの取付本体Ｂ１３のうちの一方の係合部Ｂ１３５に挿入した後、蓋部材Ｂ１４を取付本体Ｂ１０の最上部に位置する取付部材Ｂ１３の頂部に係合した後、超音波溶融技術を用いて取付本体Ｂ１０の各部を熔着する。そして、取付本体Ｂ１０の表面に発熱フィルムＢ２０を貼り付けた後、上半シェルＢ３１と下半シェルＢ３２とを取付本体Ｂ１０に取り付け、蓋部材Ｂ１４の凸柱Ｂ１４２を上半シェルＢ３１内の取付孔Ｂ３１１に挿入し、上部挿入柱Ｂ１４３を上半シェルＢ３１の挿着孔Ｂ３１２に挿入し、下部挿入柱Ｂ１３６を下半シェルＢ３２の挿着孔Ｂ３１２に挿入し、上半シェルＢ３１及び下半シェルＢ３２は、超音波溶融技術により熔着した後、外側シェルＢ３０の外側面にプラスチック層Ｂ４０を形成する。
【００２７】
使用中、導電性軸受Ａ１００は、導電性ボールＢ１００の取付ガイド溝Ｂ１１に取り付けられ、各電気導出部材Ａ１２は、対応の電気リードアウトピースＢ１２に電気的に接続され、導電性シャフトＡ２０の各ガイド部材Ａ２３は、電気回路／信号回路に対応して接続され、２本のガイド部材Ａ２３は、加熱電気回路に接続され、２本のガイド部材Ａ２３は、温度調整用電気回路に接続され、１本は、微小電流刺激電気回路に接続され、２つの電気リードアウトピースＢ１２は、導電性軸受の２つの電気導出部材に接続される。電気回路を導入した後、発熱フィルムＢ２０と通信して、発熱フィルムＢ２０が発熱し、他の２つの電気リードアウトピースＢ１２は、発熱フィルムＢ２０の発熱を制御するために、電気回路に接続され、１つの電気リードアウトピースＢ１２は、導電性ボールＢ１００の微小電流マッサージ刺激機能を実現するために、微小電流電気回路に接続される。動作原理は以上のとおりである。
【００２８】
図９〜図１２に示すように、第２実施形態の導電性回転ボールＣ１００の構造は、第１実施形態の導電性回転ボールＣ１００の構造と主に同じであり、異なる点は以下である。
【００２９】
（１）導電性軸受Ａ１００'の導電性載置部材Ａ１０'は分割構造である。絶縁載置部材Ａ１１'は、絶縁軸芯Ａ２１の外側を嵌合し且つ互いに接続される複数の取付リング部材Ａ１１５'を備える。取付リング部材Ａ１１５'は、貫通孔Ａ１１５１'を有し、取付リング部材Ａ１１５'の底面に取付スロットＡ１１５２'が取り付けられ、取付リング部材Ａ１１５'の頂面には挿入ポストＡ１１５３'が設けられ、取付リング部材Ａ１１５'における挿入ポストＡ１１５３'は、隣接する取付リング部材Ａ１１５'の取付スロットＡ１１５２'内に対応して挿入される。このような設置では、損傷または交換効率の悪い電気導出部材Ａ１２を交換に役たち、交換部品のコストを低減することができる。絶縁載置部材Ａ１１'は円弧状外側面Ａ１１１'を有し、絶縁載置部材Ａ１１'は、回転ベース部材Ａ３０と接合する箇所において、平面Ａ１１３'を貼り付けている。
【００３０】
（２）各取付リング部材Ａ１１５'には、互いに対向して設けられる電気導出部材Ａ１２が設置され、取付リング部材Ａ１１５'には、互いに連通する取付スロットＡ１１５４'および延伸スロットＡ１１５５'が設けられ、取付スロットＡ１１５４'は、取付リング部材Ａ１１５'の側壁を貫通し、延伸スロットＡ１１５５'は、貫通孔Ａ１１５１'に連通され、固定部Ａ１２３は、取付スロットＡ１１５４'内に設けられ、内部接触部Ａ１２１は、延伸スロットＡ１１５５'内に取り付けられ、取付リング部材Ａ１１５'は、環状部Ａ３５に対向する部位に、回避ノッチＡ１１５６'を設け、絶縁載置部材Ａ１１'と組み立てられた回転ベース部材Ａ３０の環状部Ａ３５は、回避ノッチＡ１１５６'に設置される。このような設置では、電気導出部材Ａ１２と取付リング部材Ａ１１５'とが別々に設置されることができ、加工に便利である。
【００３１】
（３）取付リング部材Ａ１１５'の挿入部材Ａ１１５７'は、取付リング部材Ａ１１５'の底面の縁部に設置され、且つ挿入部材Ａ１１５７'と延伸スロットＡ１１５５'とが対応して設置され、取付リング部材Ａ１１５'の頂面の縁部には、挿入部材Ａ１１５７'に対応するパイルフーチング部材Ａ１１５８'が設けられ、取付リング部材Ａ１１５'における挿入部材Ａ１１５７'は、隣接する取付リング部材Ａ１１５'のパイルフーチング部材Ａ１１５８'に設置される。このような設置では、電気導出部材Ａ１２のスライドアウトを阻止することができる。なお、この場合の挿入部材Ａ１１５７'はブロック部材である。
【００３２】
以下、第２実施形態の動作プロセスについて説明する。図９〜図１２、図１３〜図１７に示すように、取付中、回転ベース部材Ａ３０が導電性シャフトＡ２０に対応して挿入され、５つの取付リング部材Ａ１１５'は、順次に導電性シャフトＡ２０の外側を嵌合する。各取付リング部材Ａ１１５'は、組立部材Ａ３１に係合され、取付リング部材Ａ１１５'における挿入ポストＡ１１５３'は、隣接する取付リング部材Ａ１１５'の取付スロットＡ１１５２'内に対応して挿入される。最下端の取付リング部材Ａ１１５'における挿入部材１１５７'は、回転ベース部材Ａ３０の差し込み口Ａ３２に挿入された後、連結部材Ａ４０を導電性シャフトＡ２０に挿入させる。回転ベース部材Ａ３０における回転用係合ブロックＡ３６および最上端の取付リング部材Ａ１１５'における挿入ポストＡ１１５３'は、係合孔Ａ４１１に対応して挿入され、最後に、ロックリング部材Ａ５０をロック釘Ａ２１１に係合させる。ロックリング部材Ａ５０のブロッキング部Ａ５３とロック釘Ａ２１１のブロッキング本体Ａ２１３はブロックして協働することで、導電性軸受Ａ１００'の取付が完了する。各電気リードアウトピースＢ１２は対応する取付部材Ｂ１３に取り付けられ、次に、各区取付部材Ｂ１３は互いに固定され、隣接する２つの取付部材Ｂ１３のうちの一方の取付部Ｂ１３２は、隣接する２つの取付部材Ｂ１３のうちの一方の係着部Ｂ１３３に挿入され、隣接する２つの取付本体Ｂ１３のうちの一方の挿着部Ｂ１３４は、隣接する２つの取付本体Ｂ１３のうちの一方の係合部Ｂ１３５に挿入され、その後、蓋部材Ｂ１４を、取付本体Ｂ１０の最上方に位置される取付部材Ｂ１３の頂部に係合させ、次に、超音波熔接技術により取付本体Ｂ１０の各構成要素を互いに熔接する。次に、発熱フィルムＢ２０を取付本体Ｂ１０の表面に貼り付け、上半シェルＢ３１および下半シェルＢ３２は、取付本体Ｂ１０に取り付けられ、上半シェルＢ３１における取付孔Ｂ３１１には、蓋部材Ｂ１４における凸柱Ｂ１４２が挿入され、上部挿入柱Ｂ１４３は、上半シェルＢ３１の挿着孔Ｂ３１２に挿入され、下部挿入柱Ｂ１３６は、下半シェルＢ３２の挿着孔Ｂ３１２に挿入され、上半シェルＢ３１および下半シェルＢ３２は、超音波熔接技術により熔接され、最後に、外側シェルＢ３０の外側面に、プラスチック層Ｂ４０が塗布される。
【００３３】
使用中、導電性軸受Ａ１００'が導電性ボールＢ１００の取付ガイド溝Ｂ１１内に取り付けられ、各電気導出部材Ａ１２は対応する電気リードアウトピースＢ１２と電気的に接続され、導電性シャフトＡ２０における各ガイド部材Ａ２３は、電気回路／信号回路に対応して接続され、２本のガイド部材Ａ２３は、加熱電気回路に接続され、２本のガイド部材Ａ２３は、温度調整用電気回路に接続され、１本は、微小電流刺激電気回路に接続され、２つの電気リードアウトピースＢ１２は、導電性軸受の２つの電気導出部材に接触し、電気回路を導入して発熱フィルムＢ２０に接続される。これによって、発熱フィルムＢ２０が動作して発熱する。他の２つの電気リードアウトピースＢ１２は、電気回路に接続され、発熱フィルムＢ２０の発熱温度を制御する。１つの電気リードアウトピースＢ１２は、微小電流電気回路に接続され、導電性ボールＢ１００の微小電流マッサージ刺激機能を実現する。
【００３４】
従来技術と比較して、本考案の導電性回転ボールＣ１００は、導電性軸受Ａ１００（Ａ１００'）と前記導電性軸受Ａ１００（Ａ１００'）に取り付けられる導電性ボールＢ１００とを備える。導電性軸受Ａ１００（Ａ１００'）は、導電性載置部材Ａ１０（Ａ１０'）と、導電性シャフトＡ２０と、導電性シャフトＡ２０の外側を回転可能を嵌合する回転ベース部材Ａ３０とを備える。導電性シャフトＡ２０は、絶縁軸芯Ａ２１と、絶縁軸芯Ａ２１の外壁を嵌合する複数の導電リングＡ２２と、絶縁軸芯Ａ２１内に設けられる複数のガイド部材Ａ２３とを備える。複数の導電リングＡ２２は、絶縁軸芯Ａ２１の軸方向に沿って間隔をあけて設置され、各ガイド部材Ａ２３は、対応の導電リングＡ２２と電気的に接続される。導電性載置部材Ａ１０（Ａ１０'）は、絶縁載置部材Ａ１１（Ａ１１'）と絶縁載置部材Ａ１１（Ａ１１'）に取り付けられ且つ互いに間隔をあけて設置された複数の電気導出部材Ａ１２とを備える。回転ベース部材Ａ３０には、組立部材Ａ３１が設けられ、絶縁載置部材Ａ１１（Ａ１１'）は、組立部材Ａ３１に取り付けられる。各電気導出部材Ａ１２は、対応の導電リングＡ２２と電気的に接続される。導電性ボールＢ１００は、取付ガイド溝Ｂ１１を有する取付本体Ｂ１０、取付本体Ｂ１０の外側面に貼り付けた発熱フィルムＢ２０と、取付本体Ｂ１０の外側を嵌合する球形外側ケーシングＢ３０とを備える。取付本体Ｂ１０には、複数の電気リードアウトピースＢ１２が設けられ、電気リードアウトピースＢ１２は、取付ガイド溝Ｂ１１内に取り付けられ、２つの電気リードアウトピースＢ１２は、発熱フィルムＢ２０と電気的に接続される。導電性軸受Ａ１００（Ａ１００'）は、取付ガイド溝Ｂ１１内に取り付けられ、且つ、各電気導出部材Ａ１２は、対応の電気リードアウトピースＢ１２と電気的に接続される。これによって、ガイド部材Ａ２３と電気導出部材Ａ１２との間の電気回路／信号の接続を実現することができ、同時に、電気リードアウトピースＢ１２と電気導出部材Ａ１２との間の電気回路／信号の接続を実現することができる。また、絶縁載置部材Ａ１１（Ａ１１'）が組立部材Ａ３１内に取り付けられているので、導電性載置部材Ａ１０（Ａ１０'）を回転ベース部材Ａ３０に安定且つ確実に案内して位置きめすることができる。導電性載置部材Ａ１０（Ａ１０'）と回転ベース部材Ａ３０とは、実際、回転子構造を形成しており、当該回転子構造と導電性シャフトＡ２０との回転は、回転ベース部材Ａ３０と絶縁軸芯Ａ２１との相対回転により実現されているので、回転子構造上の回転を実現する部分（即ち、回転ベース部材３０）と、電気回路／信号伝送を実現する部分（即ち、導電性載置部材Ａ１０（Ａ１０'））は、構造的に別々となり、電気回路／信号伝送の構造部分（即ち、導電性載置部材Ａ１０（Ａ１０'））は、導電性シャフトＡ２０の回転に対して同期して回転することができ、損傷しにくい。これによって、導電性軸受Ａ１００（Ａ１００'）の構造をより安定にするほか、導電性軸受Ａ１００（Ａ１００'）の分解と組立にも便利である。
【００３５】
以上、本考案の好ましい実施形態を開示しているが、本実用新案登録請求の範囲はこれに限定されるものではない。本実用新案登録請求の範囲に基づいてなされたた同等の変更は、すべて本実用新案登録請求の範囲に含まれているものである。
【図１】
0003228580.tif 000003
【図２】
0003228580.tif 000004
【図３】
0003228580.tif 000005
【図４】
0003228580.tif 000006
【図５】
0003228580.tif 000007
【図６】
0003228580.tif 000008
【図７】
0003228580.tif 000009
【図８】
0003228580.tif 000010
【図９】
0003228580.tif 000011
【図１０】
0003228580.tif 000012
【図１１】
0003228580.tif 000013
【図１２】
0003228580.tif 000014
【図１３】
0003228580.tif 000015
【図１４】
0003228580.tif 000016
【図１５】
0003228580.tif 000017
【図１６】
0003228580.tif 000018
【図１７】
0003228580.tif 000019
【手続補正書】
【提出日】令和2年6月19日(2020.6.19)
【手続補正１】
【補正対象書類名】実用新案登録請求の範囲
【補正対象項目名】全文
【補正方法】変更
【補正の内容】
【実用新案登録請求の範囲】
【請求項１】
導電性回転ボールであって、導電性軸受と、前記導電性軸受に取り付けられた導電性ボールとを備え、
前記導電性軸受は、導電性載置部材と、導電性シャフトと、前記導電性シャフトの外側を嵌合し且つ回転可能な回転ベース部材とを備え、
前記導電性シャフトは、絶縁軸芯と、前記絶縁軸芯の外壁を嵌合する複数の導電リングと、前記絶縁軸芯に内設された複数のガイド部材とを備え、
複数の前記導電リングは、前記絶縁軸芯の軸方向に沿って間隔をあけて配置され、各前記ガイド部材は、対応の前記導電リングに電気的に接続され、前記導電性載置部材は、絶縁載置部材と前記絶縁載置部材に取り付けられ且つ互いに間隔をあけて配置された複数の電気導出部材とを備え、前記回転ベース部材に組立部材が設けられ、前記絶縁載置部材が前記組立部材内に取り付けられ、各前記電気導出部材は、対応の前記導電リングに電気的に接続され、前記導電性ボールは、取付ガイド溝を有する取付本体と、前記取付本体の外側面に貼り付けられた発熱フィルムと、前記取付本体の外側を嵌合する球形外側ケーシングとを備え、前記取付本体には、複数の電気リードアウトピースが設けられ、前記電気リードアウトピースが前記取付ガイド溝内に取り付けられ、２つの前記電気リードアウトピースは、前記発熱フィルムに電気的に接続され、前記導電性軸受が前記取付ガイド溝内に取り付けられ、且つ、前記電気導出部材のそれぞれは、対応の前記電気リードアウトピースに電気的に接続される、ことを特徴とする導電性回転ボール。
【請求項２】
前記電気導出部材は、内部接触部と外部接触部と前記絶縁載置部材内に取り付けられた固定部とを備え、前記外部接触部は、前記固定部の第１端部に接続され、前記内部接触部は、前記固定部の第２端部に接続され、前記外部接触部は、前記絶縁載置部材外に突出し、前記内部接触部は、前記回転ベース部材の内部に延び、且つ、前記導電リングに電気的に接続され、前記絶縁載置部材は円弧状外側面を有し、前記外部接触部は、絶縁載置部材を突出して前記円弧状外側面と同心同径に延びるように配置され、前記外部接触部は、前記電気リードアウトピースに電気的に接続される、ことを特徴とする請求項１に記載の導電性回転ボール。
【請求項３】
前記導電性軸受は、前記回転ベース部材の頂部に取り付けられた連結部材を備え、前記連結部材は、前記導電性シャフトの外側を嵌合し且つ前記導電性シャフトをロックさせ、前記連結部材は、前記絶縁軸芯を嵌合する環状部材と、前記環状部材の頂面の外縁部に取り付けられた複数の係合部材とを備え、すべての前記係合部材は、前記環状部材に周方向に沿って配置され、前記係合部材は、前記環状部材の軸方向に沿って外側に突出する自由端を備え、前記自由端は、前記環状部材の中心線を離れ且つ前記環状部材の中心線に垂直方向に沿って延びるように配置され、前記環状部材の底面に複数の係合孔が設けられ、前記絶縁載置部材の頂部に絶縁係合ブロックが設けられ、前記回転ベース部材の頂部に回転用係合ブロックが設けられ、前記絶縁係合ブロックと前記回転用係合ブロックとは、前記係合孔に挿入される、ことを特徴とする請求項１に記載の導電性回転ボール。
【請求項４】
前記導電性軸受は、ロック貫通孔を有し且つ始端および終端に開口するロックリング部材を備え、前記ロックリング部材は、始端および終端に傾斜ノッチが形成され、前記ロックリング部材は、前記ロック貫通孔に向かってブロッキング部を突出、前記絶縁軸芯の頂部にロック釘が設けられ、前記ロック釘は、接続体と前記接続体に取り付けられたブロッキング本体とを備え、前記接続体は、前記絶縁軸芯の頂部に取り付けられ、前記ロックリング部材は、前記ロック釘の外側を嵌合して前記環状部材に押し付け、前記ブロッキング部と前記ブロッキング本体とは当接する、ことを特徴とする請求項３に記載の導電性回転ボール。
【請求項５】
前記絶縁載置部材は、前記絶縁軸芯を嵌合し且つ互いに連結された複数の取付リング部材を備え、前記取付リング部材は貫通孔を有し、前記取付リング部材の底面に取付スロットが設けられ、前記取付リング部材の頂面に挿入ポストが設けられ、前記取付リング部材の前記挿入ポストは、隣接する前記取付リング部材の前記取付スロット内に対応して挿入される、ことを特徴とする請求項１に記載の導電性回転ボール。
【請求項６】
前記電気導出部材は、内部接触部と外部接触部と前記絶縁載置部材内に取り付けられた固定部とを備え、前記取付リング部材に２つの互いに対向して配置された電気導出部材が設けられ、前記取付リング部材には、互いに連通された取付スロットと延伸スロットとが設けられ、前記取付スロットは、前記取付リング部材の側壁を貫通し、前記延伸スロットは、前記貫通孔に連通され、前記固定部は、取付スロット内に取り付けられ、前記内部接触部は、前記延伸スロット内に取り付けられる、ことを特徴とする据請求項５に記載の導電性回転ボール。
【請求項７】
前記取付本体は、複数の電気リードアウトピースと積層して設けられ且つ互いに係合される複数の取付部材とを備え、前記取付部材はガイド通孔を有し、すべての前記取付部材のガイド通孔が互いに連通されて前記取付ガイド溝を形成し、前記電気リードアウトピースは、前記取付部材のガイド通孔に対応して取り付けられ、前記球形外側ケーシングの外側面にプラスチック層を形成する、ことを特徴とする請求項１に記載の導電性回転ボール。
【請求項８】
前記電気リードアウトピースは、接触環状体部と突き出し部とを備え、前記接触環状体部は前記取付部材のガイド通孔内に取り付けられ、前記突き出し部の第１端部は前記接触環状体部に電気的に接続され、前記突き出し部の第２端部は前記取付本体より突出する、ことを特徴とする据請求項７に記載の導電性回転ボール。
【請求項９】
隣接する２つの前記取付部材のうちの一方の底面に、前記ガイド通孔を囲む取付部が設けられ、隣接する２つの前記取付部材のうちの他方の頂面に、前記ガイド通孔を囲む係着部が設けられ、隣接する２つの前記取付部材のうちの一方の取付部は、隣接する２つの前記取付部材のうちの他方の係着部に挿入され、前記接触環状体部は、前記取付部に取り付けられ且つ前記ガイド通孔の側壁に密着し、隣接する２つの前記取付部材のうちの一方に、挿着部が設けられ、隣接する２つの前記取付本体のうちの他方に、前記挿着部に対応する係合部が設けられ、隣接する２つの前記取付本体のうちの一方の挿着部を隣接する他方の前記取付本体の係合部に挿入する、ことを特徴とする据請求項８に記載の導電性回転ボール。
【請求項１０】
前記取付本体は、蓋部材をさらに備え、前記蓋部材は、前記取付本体の最上部に位置する前記取付部材の頂部に係合され、前記蓋部材の底部に、前記取付ガイド溝に連通する回避スロットが設けられ、前記蓋部材の頂部に、前記蓋部材と同軸に配置された凸柱が設けられ、前記発熱フィルムに貫通孔が設けられ、前記凸柱が前記貫通孔に挿入される、ことを特徴とする据請求項７に記載の導電性回転ボール。
【手続補正書】
【提出日】令和2年7月28日(2020.7.28)
【手続補正１】
【補正対象書類名】実用新案登録請求の範囲
【補正対象項目名】全文
【補正方法】変更
【補正の内容】
【実用新案登録請求の範囲】
【請求項１】
導電性回転ボールであって、導電性軸受と、前記導電性軸受に取り付けられた導電性ボールとを備え、
前記導電性軸受は、導電性載置部材と、導電性シャフトと、前記導電性シャフトの外側を嵌合し且つ回転可能な回転ベース部材とを備え、
前記導電性シャフトは、絶縁軸芯と、前記絶縁軸芯の外壁を嵌合する複数の導電リングと、前記絶縁軸芯に内設された複数のガイド部材とを備え、
複数の前記導電リングは、前記絶縁軸芯の軸方向に沿って間隔をあけて配置され、各前記ガイド部材は、対応の前記導電リングに電気的に接続され、前記導電性載置部材は、絶縁載置部材と前記絶縁載置部材に取り付けられ且つ互いに間隔をあけて配置された複数の電気導出部材とを備え、前記回転ベース部材に組立部材が設けられ、前記絶縁載置部材が前記組立部材内に取り付けられ、各前記電気導出部材は、対応の前記導電リングに電気的に接続され、前記導電性ボールは、取付ガイド溝を有する取付本体と、前記取付本体の外側面に貼り付けられた発熱フィルムと、前記取付本体の外側を嵌合する球形外側ケーシングとを備え、前記取付本体には、複数の電気リードアウトピースが設けられ、前記電気リードアウトピースが前記取付ガイド溝内に取り付けられ、２つの前記電気リードアウトピースは、前記発熱フィルムに電気的に接続され、前記導電性軸受が前記取付ガイド溝内に取り付けられ、且つ、前記電気導出部材のそれぞれは、対応の前記電気リードアウトピースに電気的に接続される、ことを特徴とする導電性回転ボール。
【請求項２】
前記電気導出部材は、内部接触部と外部接触部と前記絶縁載置部材内に取り付けられた固定部とを備え、前記外部接触部は、前記固定部の第１端部に接続され、前記内部接触部は、前記固定部の第２端部に接続され、前記外部接触部は、前記絶縁載置部材外に突出し、前記内部接触部は、前記回転ベース部材の内部に延び、且つ、前記導電リングに電気的に接続され、前記絶縁載置部材は円弧状外側面を有し、前記外部接触部は、絶縁載置部材を突出して前記円弧状外側面と同心同径に延びるように配置され、前記外部接触部は、前記電気リードアウトピースに電気的に接続される、ことを特徴とする請求項１に記載の導電性回転ボール。
【請求項３】
前記導電性軸受は、前記回転ベース部材の頂部に取り付けられた連結部材を備え、前記連結部材は、前記導電性シャフトの外側を嵌合し且つ前記導電性シャフトをロックさせ、前記連結部材は、前記絶縁軸芯を嵌合する環状部材と、前記環状部材の頂面の外縁部に取り付けられた複数の係合部材とを備え、すべての前記係合部材は、前記環状部材に周方向に沿って配置され、前記係合部材は、前記環状部材の軸方向に沿って外側に突出する自由端を備え、前記自由端は、前記環状部材の中心線を離れ且つ前記環状部材の中心線に垂直方向に沿って延びるように配置され、前記環状部材の底面に複数の係合孔が設けられ、前記絶縁載置部材の頂部に絶縁係合ブロックが設けられ、前記回転ベース部材の頂部に回転用係合ブロックが設けられ、前記絶縁係合ブロックと前記回転用係合ブロックとは、前記係合孔に挿入される、ことを特徴とする請求項１に記載の導電性回転ボール。
【請求項４】
前記導電性軸受は、ロック貫通孔を有し且つ始端および終端に開口するロックリング部材を備え、前記ロックリング部材は、始端および終端に傾斜ノッチが形成され、前記ロックリング部材は、前記ロック貫通孔に向かってブロッキング部を突出、前記絶縁軸芯の頂部にロック釘が設けられ、前記ロック釘は、接続体と前記接続体に取り付けられたブロッキング本体とを備え、前記接続体は、前記絶縁軸芯の頂部に取り付けられ、前記ロックリング部材は、前記ロック釘の外側を嵌合して前記環状部材に押し付け、前記ブロッキング部と前記ブロッキング本体とは当接する、ことを特徴とする請求項３に記載の導電性回転ボール。
【請求項５】
前記絶縁載置部材は、前記絶縁軸芯を嵌合し且つ互いに連結された複数の取付リング部材を備え、前記取付リング部材は貫通孔を有し、前記取付リング部材の底面に取付スロットが設けられ、前記取付リング部材の頂面に挿入ポストが設けられ、前記取付リング部材の前記挿入ポストは、隣接する前記取付リング部材の前記取付スロット内に対応して挿入される、ことを特徴とする請求項１に記載の導電性回転ボール。
【請求項６】
前記電気導出部材は、内部接触部と外部接触部と前記絶縁載置部材内に取り付けられた固定部とを備え、前記取付リング部材に２つの互いに対向して配置された電気導出部材が設けられ、前記取付リング部材には、互いに連通された取付スロットと延伸スロットとが設けられ、前記取付スロットは、前記取付リング部材の側壁を貫通し、前記延伸スロットは、前記貫通孔に連通され、前記固定部は、取付スロット内に取り付けられ、前記内部接触部は、前記延伸スロット内に取り付けられる、ことを特徴とする請求項５に記載の導電性回転ボール。
【請求項７】
前記取付本体は、複数の電気リードアウトピースと積層して設けられ且つ互いに係合される複数の取付部材とを備え、前記取付部材はガイド通孔を有し、すべての前記取付部材のガイド通孔が互いに連通されて前記取付ガイド溝を形成し、前記電気リードアウトピースは、前記取付部材のガイド通孔に対応して取り付けられ、前記球形外側ケーシングの外側面にプラスチック層を形成する、ことを特徴とする請求項１に記載の導電性回転ボール。
【請求項８】
前記電気リードアウトピースは、接触環状体部と突き出し部とを備え、前記接触環状体部は前記取付部材のガイド通孔内に取り付けられ、前記突き出し部の第１端部は前記接触環状体部に電気的に接続され、前記突き出し部の第２端部は前記取付本体より突出する、ことを特徴とする請求項７に記載の導電性回転ボール。
【請求項９】
隣接する２つの前記取付部材のうちの一方の底面に、前記ガイド通孔を囲む取付部が設けられ、隣接する２つの前記取付部材のうちの他方の頂面に、前記ガイド通孔を囲む係着部が設けられ、隣接する２つの前記取付部材のうちの一方の取付部は、隣接する２つの前記取付部材のうちの他方の係着部に挿入され、前記接触環状体部は、前記取付部に取り付けられ且つ前記ガイド通孔の側壁に密着し、隣接する２つの前記取付部材のうちの一方に、挿着部が設けられ、隣接する２つの前記取付本体のうちの他方に、前記挿着部に対応する係合部が設けられ、隣接する２つの前記取付本体のうちの一方の挿着部を隣接する他方の前記取付本体の係合部に挿入する、ことを特徴とする請求項８に記載の導電性回転ボール。
【請求項１０】
前記取付本体は、蓋部材をさらに備え、前記蓋部材は、前記取付本体の最上部に位置する前記取付部材の頂部に係合され、前記蓋部材の底部に、前記取付ガイド溝に連通する回避スロットが設けられ、前記蓋部材の頂部に、前記蓋部材と同軸に配置された凸柱が設けられ、前記発熱フィルムに貫通孔が設けられ、前記凸柱が前記貫通孔に挿入される、ことを特徴とする請求項７に記載の導電性回転ボール。